(57)【要約】      （修正有）【課題】光ディスクにおける適正書き込みのためのライトストラテジの調整方法を提供する。【解決手段】ライトストラテジを調整するための方法において、可変長の第１の種類のデータ記憶構造及び可変長の第２の種類のデータ記憶構造の形式で第１のライトストラテジに従って光ディスクにデータが書き込まれる。特定の基準長に対応する複数の第１の種類のデータ記憶構造が探し出され、それらの記録長が特定の基準長を用いて操作されて第１の平均偏差が得られる。第１の種類のデータ記憶構造に隣り合って形成された複数の第２の種類のデータ記憶構造が探し出され、それらの記録長が各々の基準長を用いて操作されて第２の平均偏差が得られる。引き続いて光ディスクにデータを書き込むための第２のライトストラテジを生み出すために、第１のライトストラテジのパラメタが調整される。【選択図】図３
2006351177.tif 000002
【特許請求の範囲】
【請求項１】
光ディスクにデータを書き込むための光記録／再生装置のライトストラテジを調整するための方法であって、
可変長の第１の種類のデータ記憶構造及び可変長の第２の種類のデータ記憶構造の形式で前記光ディスクにデータが記憶される第１のライトストラテジに従って、前記光ディスクにデータを書き込むステップと、
特定の基準長に対応する複数の前記第１の種類のデータ記憶構造を探し出し、該複数の第１の種類のデータ記憶構造の記録長を前記特定の基準長を用いて操作して第１の平均偏差を得るステップと、
前記第１の種類のデータ記憶構造に隣り合って形成された複数の前記第２の種類のデータ記憶構造を探し出し、該第２の種類のデータ記憶構造の記録長を各々の基準長を用いて操作して第２の平均偏差を得るステップと、
引き続いて前記光ディスクにデータを書き込むための第２のライトストラテジを生み出すために、前記第１のライトストラテジのパラメタを調整するステップとを備えたことを特徴とする方法。
【請求項２】
前記複数の第２の種類のデータ記憶構造は前記第１の種類のデータ記憶構造の第１の側に隣り合って形成されたものであり、前記第１の種類のデータ記憶構造の第２の側に隣り合って形成された複数の前記第２の種類のデータ記憶構造を探し出し、該第２の側における第２の種類のデータ記憶構造の記録長を各々の基準長を用いて操作して第３の平均偏差を得るステップを備えたことを特徴とする請求項１に記載の方法。
【請求項３】
前記第１のライトストラテジ又は前記第２のライトストラテジに従って前記光ディスクにデータを書き込むために、レーザ出力パルス信号が生成され、調整される前記パラメタは、前記レーザ出力パルス信号の立ち上がりを生じさせる立ち上がり時点又は前記レーザ出力パルス信号の立ち下がりを生じさせる立ち下がり時点であることを特徴とする請求項２に記載の方法。
【請求項４】
前記レーザ出力パルス信号の立ち上がりは、前記第１の側における第２の種類のデータ記憶構造から前記第１の種類のデータ記憶構造への移行中に生じ、前記レーザ出力パルス信号の立ち上がりは、前記第１の種類のデータ記憶構造から前記第２の側における第２の種類のデータ記憶構造への移行中に生じることを特徴とする請求項３に記載の方法。
【請求項５】
前記第１及び第３の平均偏差がゼロより大きくて前記第２の平均偏差がゼロより小さいとき、前記第１及び第３の平均偏差がゼロより小さくて前記第２の平均偏差がゼロより大きいとき、前記第１、第２、第３の平均偏差の全てがゼロより大きくて前記第３の平均偏差が前記第２の平均偏差より大きい値であるとき、又は前記第１、第２、第３の平均偏差の全てがゼロより小さくて前記第２の平均偏差が前記第３の平均偏差より大きい値であるとき、調整される前記パラメタは立ち上がり時点であることを特徴とする請求項４に記載の方法。
【請求項６】
前記第１及び第２の平均偏差がゼロより大きくて前記第３の平均偏差がゼロより小さいとき、前記第１及び第２の平均偏差がゼロより小さくて前記第３の平均偏差がゼロより大きいとき、前記第１、第２、第３の平均偏差の全てがゼロより大きくて前記第３の平均偏差が前記第２の平均偏差より小さい値であるとき、又は前記第１、第２、第３の平均偏差の全てがゼロより小さくて前記第２の平均偏差が前記第３の平均偏差より小さい値であるとき、調整される前記パラメタは立ち下がり時点であることを特徴とする請求項４に記載の方法。
【請求項７】
前記第１の平均偏差は、前記特定の基準長に対応する前記複数の第１の種類のデータ記憶構造の記録長を平均化し、前記複数の第１の種類のデータ記憶構造の平均記録長から前記特定の基準長を引くことによって得られ、前記第２の平均偏差は、前記第１の側における第２の種類のデータ記憶構造の記録長から前記各々の基準長を引き、その結果の差異を平均化することによって得られ、前記第３の平均偏差は、前記第２の側における第２の種類のデータ記憶構造の記録長から前記各々の基準長を引き、その結果の差異を平均化することによって得られることを特徴とする請求項２に記載の方法。
【請求項８】
前記第２の種類のデータ記憶構造の記録長は同一の基準長又は異なる基準長に対応することを特徴とする請求項１に記載の方法。
【請求項９】
前記第１の種類のデータ記憶構造及び前記第２の種類のデータ記憶構造は、それぞれピット構造及びランド構造である、又は前記第１の種類のデータ記憶構造及び前記第２の種類のデータ記憶構造は、それぞれランド構造及びピット構造であることを特徴とする請求項１に記載の方法。
【発明の詳細な説明】
【技術分野】
【０００１】
本発明は光記録／再生装置のライトストラテジを調整するための方法に関するものであり、特に、光ディスクの特性に応じて光記録／再生装置のライトストラテジを調整するための方法に関する。
【背景技術】
【０００２】
情報化社会の到来に伴い、大量の情報を記録する大容量の光ディスクが広く利用されるようになった。今日では、多種多様な光ディスクが開発されている。例えば、ＣＤ−ＲＯＭ（Ｃｏｍｐａｃｔ  Ｄｉｓｃ  Ｒｅａｄ  Ｏｎｌｙ  Ｍｅｍｏｒｙ）は光ディスクの一種であり、読み取り専用でデータが記録される。他の２種類の光ディスクとしてＣＤ−Ｒ（Ｃｏｍｐａｃｔ  Ｄｉｓｃ−Ｒｅｃｏｒｄａｂｌｅ）及びＣＤ−ＲＷ（Ｃｏｍｐａｃｔ  Ｄｉｓｃ−ＲｅＷｒｉｔａｂｌｅ）があり、これらはＣＤ−ＲＯＭとは異なり、ユーザが光ディスクにデータを書き込むことができる。
【０００３】
ＣＤ−Ｒは、表面に塗布された特殊な色素層により、書き込みを可能とする。光ヘッドがＣＤ−Ｒの色素層に向けてプログラムによりレーザ光を発すると、その光を受けた色素層の特定部分は、摂氏２５０度に加熱され、それにより溶解されて「ピット」を形成し、その他の部分は「ランド」として残る。結果として形成されるピット及びランドにより、データが光ディスクに記録される。図１（ａ）はピット１１及びランド１２が例示された光ディスク１０の部分拡大図である。光ヘッド２は光ディスク１０の一方の側に配置され、ライトストラテジに従って光ディスク１０にデータを記録し、また、以前に形成された光ディスク１０のピット−ランド構成に応じて光ディスク１０から情報を認識する。
【０００４】
ＣＤ−ＲＷは、消去及び再書き込みが可能であるため、ＣＤ−Ｒに比べて有利である。ＣＤ−ＲＷディスクへのデータ記録は、相変化、例えば、ＣＤ−ＲＷ材料の結晶相と非晶相との反射率の差異による。
【０００５】
ＣＤ−ＲＷディスクは、４つの金属、すなわち銀、インジウム、アンチモン及びテルリウムの合金で形成され、結晶相と非晶相との間で切り換わることが可能な、記録材料層を含んでいる。記録材料層の相変化はダイオードのレーザ出力によって提供される。通常、書き込みに適用されるパワーは８ｍＷから１４ｍＷであり、消去には４−８ｍＷ、バイアスパワーは０−１ｍＷである。記録材料層の融点は摂氏約６００度であり、結晶化温度は摂氏約２００度である。ＣＤ−ＲＷディスクにおいても、ランド及びピットが形成されてデータが記録される。図１（ｂ）に示されるように、ＣＤ−ＲＷディスク２０の特定領域にランド構造２２を形成するには、消去手順が実行される。結晶化するためには、光ヘッド２によってレーザ出力パルス信号２００が発され、消去領域の温度が融点と結晶化温度との間に保たれるように、一定時間、レベル２０１で維持される。一方、ＣＤ−ＲＷディスク２０の特定領域にピット構造２１を形成するには、書き込み手順が実行される。書き込み手順においては、光ヘッド２によって発されるレーザ出力パルス信号２００が、消去用のレベル２０２よりも高いレベル２０２とレベル２０２より低いレベル２０３との間で切り換えられる。このような方法により、特定領域の記録材料層は短時間で融点に達する。その後、記録材料層を即座に冷却するためにレーザ出力パルス信号２００は一時中断される。比較的長いピットを形成するには、レベル２０１とレベル２０３との間のパルス動作を繰り返す必要がある。
【０００６】
光ディスクを光記録／再生装置に挿入し、読み取りを行うとき、光記録／再生装置の光ヘッドからレーザ光が発され、異なる反射率を有するピット及びランドで反射される。例えば、ランドに照射された光は大部分が反射されるの対し、ピットに照射された光は相殺的干渉により１０−２０％しか反射されない。反射された光は、光ヘッドによって受光され、処理されて、以前に記録した情報が現れる。
【０００７】
同じ書き込み条件が適用された場合、光ディスクの種類や型によって書き込みの品質に差が出るので、書き込み品質を向上させるために、製造業者は、種々の光ディスクの書き込みにそれぞれ異なるライトストラテジを提供している。ライトストラテジは一般に、書き込みパワー、消去パワー、バイアスパワー等、複数のパラメタを考慮に入れる必要がある。従って、光ディスクごとにライトストラテジを構築するのは、膨大且つ複雑で時間のかかる作業である。
【発明の開示】
【発明が解決しようとする課題】
【０００８】
そこで本発明は、光ディスクの特性に応じて光記録／再生装置のライトストラテジを調整するための方法を提供する。
【課題を解決するための手段】
【０００９】
光ディスクにデータを書き込むための光記録／再生装置のライトストラテジを調整するための本発明の一実施形態による方法は、可変長の第１の種類のデータ記憶構造及び可変長の第２の種類のデータ記憶構造の形式で光ディスクにデータが記憶される第１のライトストラテジに従って、光ディスクにデータを書き込むステップと、特定の基準長に対応する複数の第１の種類のデータ記憶構造を探し出し、該複数の第１の種類のデータ記憶構造の記録長を特定の基準長を用いて操作して第１の平均偏差を得るステップと、第１の種類のデータ記憶構造に隣り合って形成された複数の第２の種類のデータ記憶構造を探し出し、該第２の種類のデータ記憶構造の記録長を各々の基準長を用いて操作して第２の平均偏差を得るステップと、引き続いて光ディスクにデータを書き込むための第２のライトストラテジを生み出すために、第１のライトストラテジのパラメタを調整するステップとを含んでいる。
【００１０】
本発明の上述の内容は、以下の詳細な説明及び添付図面を検討頂ければ、当業者にはより容易に理解されるであろう。
【発明を実施するための最良の形態】
【００１１】
ライトストラテジは一般に複数のパラメタを伴う。例えば、図２に示されるように、データを書き込むために光ヘッド３０によって発されるレーザ出力パルス信号３０１はライトストラテジによって異なる。さらに、レーザ出力パルス信号３０１の波形を決定するためのパラメタには、立ち上がり３０１１及び立ち下がり３０１２を決めるための立ち上がり時点及び立ち下がり時点が含まれる。立ち上がりとは、書き込みパワーが比較的低いレベル３０１４から比較的高いレベル３０１３に切り替えられることを指し、立ち下がりとは、書き込みパワーが比較的高いレベル３０１３から比較的低いレベル３０１４に切り替えられることを指す。立ち上がり時点及び立ち下がり時点に従って、第１のデータ記録構造３２１の長さ及び第２のデータ記録構造３２２の長さが実現される。第１のデータ記録構造３２１及び第２のデータ記録構造３２２は例えばそれぞれピット構造及びランド構造である。
【００１２】
光ディスクのピット及びランドのデジタル化が図１（ｃ）に例示されている。連続的なピット及び連続的なランドは一続きのビット“０”として記録及び読出され、ピットとランドとの間のエッジはビット“１”として記録及び読出される。この記録方式は８−１４変調（ＥＦＭ）と呼ばれる。ＥＦＭ記録方式によると、２つの離れたビット“１”の間の連続的なビット“０”の数は、２（最小記録長“３Ｔ”）から１０（最大記録長“１１Ｔ”）の範囲に限定される。
【００１３】
結果として生ずるランド及びピットはＥＦＭ方式における記録長３Ｔ、４Ｔ・・・１１Ｔに正確に等しい長さを有するのが理想である。しかしながら、ライトストラテジが不適切であると、記録長が理想的な長さからずれてしまう。例えば、図３においては、ピット構造４は記録長３Ｔを有している。従って、光ディスクに存在する、記録長３Ｔを有するはずの全てのピット構造４の実際の長さを算出し、平均の記録長を求める。基準長を平均記録長から引くと第１の平均偏差４０が得られる。第２の平均偏差４１は、ピット構造４の一方側にあるランド構造５全ての実際の長さから各々の基準長（３Ｔから１１Ｔ）を引き、差異を平均化することで得られる。同様に、第３の平均偏差４２は、ピット構造４の他方側にあるランド構造６について同様な方法で求められる。第１、第２及び第３の平均偏差４０、４１及び４２が得られると、各光ディスクに特定の且つ有益なライトストラテジを、既存のライトストラテジを調整することによって導き出すことができる。
【００１４】
本発明によるライトストラテジの調整は、対象構造、例えばピット構造４、の記録長の偏差を最小限にすること、好ましくは、対象構造の隣の構造、例えばランド構造５及び６、の記録長の偏差も同時に最小限にすることである。以下、ライトストラテジの調整方法を、例を挙げて説明する。
【００１５】
図４（ａ）は第１及び第３の平均偏差４０及び４２がゼロより大きく、第２の平均偏差４１がゼロより小さい場合を示している。この状況では、第１及び第２の平均偏差４０及び４１の両方を軽減するため、レーザ出力パルス信号３０１の立ち上がり４０１を生じさせる立ち上がり時点４０１１を破線で示すように遅らせるのが望ましい。従って、本発明の一実施形態によると、第１及び第３の平均偏差４０及び４２がゼロより大きくて第２の平均偏差４１がゼロより小さいときに、レーザ出力パルス信号３０１の立ち上がり時点を遅らせることによって、ライトストラテジが第１のライトストラテジ５０に調整される。
【００１６】
図４（ｂ）は第１及び第２の平均偏差４０及び４１がゼロより大きく、第３の平均偏差４２がゼロより小さい場合を示している。この状況では、第１及び第３の平均偏差４０及び４２の両方を軽減するため、レーザ出力パルス信号３０１の立ち下がり４０２を生じさせる立ち下がり時点４０１２を破線で示すように早めることが望ましい。従って、本発明の一実施形態によると、調整された第２のライトストラテジ５１は、第１及び第２の平均偏差４０及び４１がゼロより大きくて第３の平均偏差４２がゼロより小さいときに、レーザ出力パルス信号３０１の立ち下がり時点を早めることを伴う。
【００１７】
図４（ｃ）は、第１の平均偏差４０がゼロより大きく、第２及び第３の平均偏差４１及び４２がゼロより小さい場合を示している。この状況では、本発明は、立ち上がり４０１を遅らせるか、もしくは、立ち下がり４０２を早めることができる。第２の平均偏差４１が第３の平均偏差４２よりも大きい値である場合、ライトストラテジは第３のライトストラテジ５２に調整されるのが好ましい。第３のライトストラテジ５２においては、レーザ出力パルス信号３０１の立ち下がり４０２を生じさせる立ち下がり時点４０１２を早めて、第１及び第３の平均偏差４０及び４２の両方を軽減する。一方、第２の平均偏差４１が第３の平均偏差４２よりも小さい値である場合、ライトストラテジは第４のライトストラテジ５３に調整されるのが好ましい。第４のライトストラテジ５３においては、レーザ出力パルス信号３０１の立ち上がり４０１を生じさせる立ち上がり時点４０１１を遅らせ、第１及び第２の平均偏差４０及び４１の両方を軽減する。
【００１８】
図４（ｄ）は、第１、第２及び第３の平均偏差４０、４１及び４２の全てがゼロより大きい場合を示している。この状況では、本発明は、立ち上がり４０１を遅らせるか、もしくは、立ち下がり４０２を早めることができる。第１の平均偏差４０が第２及び第３の平均偏差４１及び４２より大きい値であり、第２の平均偏差４１が第３の平均偏差４２よりも小さい値である場合、ライトストラテジは第５のライトストラテジ５４に調整されるのが好ましい。第５のライトストラテジ５４においては、第１及び第２の平均偏差４０及び４１の両方を軽減するために、レーザ出力パルス信号３０１の立ち上がり４０１を生じさせる立ち上がり時点４０１１を遅らせる。一方、第２の平均偏差４１が第３の平均偏差４２より大きい値である場合、ライトストラテジは第６のライトストラテジ５５に調整されるのが好ましい。第６のライトストラテジ５５においては、第１及び第３の平均偏差４０及び４２の両方を軽減するために、レーザ出力パルス信号３０１の立ち下がり４０２を生じさせる立ち下がり時点４０１２を早める。
【００１９】
図４（ｅ）は、第１及び第３の平均偏差４０及び４２がゼロより小さく、第２の平均偏差４１がゼロより大きい場合を示している。この状況では、第１及び第２の平均偏差４０及び４１の両方を軽減するため、レーザ出力パルス信号３０１の立ち上がり４０１を生じさせる立ち上がり時点４０１１を破線で示すように早めることが望ましい。従って、本発明の一実施形態によると、第１及び第３の平均偏差４０及び４２がゼロより小さくて第２の平均偏差４１がゼロより大きいときに、レーザ出力パルス信号３０１の立ち上がり時点を早めることによって、ライトストラテジが第７のライトストラテジ５６に調整される。
【００２０】
図４（ｆ）は、第１及び第２の平均偏差４０及び４１がゼロより小さく、第３の平均偏差４２がゼロより大きい場合を示している。この状況では、第１及び第３の平均偏差４０及び４２の両方を軽減するため、レーザ出力パルス信号３０１の立ち下がり４０２を生じさせる立ち下がり時点４０１２を破線で示すように遅らせるのが望ましい。従って、本発明の一実施形態によると、調整された第８のライトストラテジ５７は、第１及び第２の平均偏差４０及び４１がゼロより小さくて第３の平均偏差４２がゼロより大きいときに、レーザ出力パルス信号３０１の立ち下がり時点を早めることを伴う。
【００２１】
図４（ｇ）は、第１の平均偏差４０がゼロより小さく、第２及び第３の平均偏差４１及び４２がゼロより大きい場合を示している。この状況では、本発明は、立ち上がり４０１を早めるか、もしくは、立ち下がり４０２を遅らせることができる。第２の平均偏差４１が第３の平均偏差４２より大きい値である場合、ライトストラテジは第９のライトストラテジ５８に調整されるのが好ましい。第９のライトストラテジ５８においては、第１及び第２の平均偏差４０及び４１の両方を軽減するため、レーザ出力パルス信号３０１の立ち上がり４０１を生じさせる立ち上がり時点４０１１を早める。一方、第２の平均偏差４１が第３の平均偏差４２より小さい値である場合、ライトストラテジは第１０のライトストラテジ５９に調整されるのが好ましい。第１０のライトストラテジ５９においては、第１及び第３の平均偏差４０及び４２の両方を軽減するため、レーザ出力パルス信号３０１の立ち下がり４０２を生じさせる立ち下がり時点４０１２を遅らせる。
【００２２】
図４（ｈ）は、第１、第２及び第３の平均偏差４０、４１及び４２の全てがゼロより小さい場合を示している。この状況では、本発明は、立ち上がり４０１を早めるか、もしくは、立ち下がり４０２を遅らせることができる。第１の平均偏差４０が第２及び第３の平均偏差４１及び４２より小さい値であり、第２の平均偏差４１が第３の平均偏差４２よりも小さい値である場合、ライトストラテジは第１１のライトストラテジ６０に調整されるのが好ましい。第１１のライトストラテジ６０においては、第１及び第３の平均偏差４０及び４２の両方を軽減するために、レーザ出力パルス信号３０１の立ち下がり４０２を生じさせる立ち下がり時点４０１２を遅らせる。一方、第２の平均偏差４１が第３の平均偏差４２より大きい値である場合、ライトストラテジは第１２のライトストラテジ６１に調整されるのが好ましい。第１２のライトストラテジ６１においては、第１及び第２の平均偏差４０及び４１の両方を軽減するために、レーザ出力パルス信号３０１の立ち上がり４０１を生じさせる立ち上がり時点４０１１を早める。
【００２３】
上記各例では、立ち上がり時点及び立ち下がり時点の中の一方を遅らせるか早めるかして調整している。しかしながら、適切にソフトウェアを設計すれば、ランド及びピット構造の偏差を軽減することができるという条件で立ち上がり時点及び立ち下がり時点の両方を遅らせる／早めることにより、ライトストラテジを調整することも可能である。
【００２４】
記録長は、３Ｔから１１Ｔを例として挙げたが、採用される記録方式によっては、１４Ｔ（ＤＶＤ用）等の他の長さであってもよい。
【００２５】
一実施形態においては、第２及び第３の平均偏差４１及び４２は、３Ｔから１１Ｔ及び１４Ｔ等、様々な記録長に基づいて得られる。また、第２及び第３の平均偏差４１及び４２は、２−３種類の記録長、例えば３Ｔ及び７Ｔ、又は８Ｔ、９Ｔ及び１１Ｔ等、に基づいて得ることもできる。前者は精度が高く、後者は速度が速い。
【００２６】
上記図３及び図４（ａ）から図４（ｈ）に示された例においては、ライトストラテジは、ランド−ピット−ランドの構成で調整される。しかしながら、本発明の方法は、図５に示されるようなピット−ランド−ピットの構成にも上記と同様に適用することができる。
【００２７】
本発明によるライトストラテジの調整方法は、ファームウェアの形態で光記録／再生装置に直接適用することができる。また、本発明の方法は、技術者が光ディスクドライブを設計又は修正するためのツールとして、光ディスク又は光ディスクドライブの分析機器に適用することもできる。
【００２８】
総括して言えば、本発明の方法によると、可変長の第１の種類のデータ記憶構造及び可変長の第２の種類のデータ記憶構造の形式で、第１のライトストラテジに従って、光ディスクにデータが書き込まれる。特定の基準長に対応する複数の第１の種類のデータ記憶構造を探し出し、それらの記録長を特定の基準長を用いて操作して第１の平均偏差を得る。そして、第１の種類のデータ記憶構造に隣り合って形成された複数の第２の種類のデータ記憶構造を探し出し、それらの記録長を各々の基準長を用いて操作して第２の平均偏差を得る。第１のライトストラテジのパラメタは、続いて光ディスクにデータを書き込むための第２のライトストラテジを生み出すために調整される。光記録／再生装置のライトストラテジを調整する方法は、光ディスクの特性に応じて実行される。従って、一又は複数の基本的なライトストラテジだけをファームウェアに記憶しておくだけでよく、その他のライトストラテジは、本発明の方法によって、基本的なライトストラテジから導き出すことができる。
【００２９】
以上、現在において最も実用的で好ましいと考えられる実施形態について本発明を説明してきたが、本発明は、開示された実施形態に限定されるものではない。例えば、オーディオプレイヤはポータブルオーディオプレイヤ又はＵＳＢインタフェースのオーディオプレイヤでなくてもよい。付記される請求項の最広義な解釈による趣旨及び範囲内における種々の変更及び同様の配置をも対象とするように意図され、そのような変更及び同様の構造全てを包含するものとする。
【図面の簡単な説明】
【００３０】
【図１ａ】光ディスクに記録された情報を持つ光ディスクのピット−ランド構成を示す概略図
【図１ｂ】ＣＤ−ＲＷの消去及び書き込みのためのレーザ出力制御を示す概略的なパルス図。
【図１ｃ】ＥＦＭ記録方式に従ってデジタル化されるピット及びランドを示す概略波形図。
【図２】光ディスクのレーザ出力パルス信号とランド／ピット構成との関係を示した波形図。
【図３】本発明の一実施形態のためのパラメタを示した概略図。
【図４ａ】本発明の一実施形態によるライトストラテジ調整の例を示した概略図。
【図４ｂ】本発明の一実施形態によるライトストラテジ調整の例を示した概略図。
【図４ｃ】本発明の一実施形態によるライトストラテジ調整の例を示した概略図。
【図４ｄ】本発明の一実施形態によるライトストラテジ調整の例を示した概略図。
【図４ｅ】本発明の一実施形態によるライトストラテジ調整の例を示した概略図。
【図４ｆ】本発明の一実施形態によるライトストラテジ調整の例を示した概略図。
【図４ｇ】本発明の一実施形態によるライトストラテジ調整の例を示した概略図。
【図４ｈ】本発明の一実施形態によるライトストラテジ調整の例を示した概略図。
【図５】本発明の別の実施形態のためのパラメタを示した概略図。
【図１ａ】
2006351177.tif 000003
【図１ｂ】
2006351177.tif 000004
【図１ｃ】
2006351177.tif 000005
【図２】
2006351177.tif 000006
【図３】
2006351177.tif 000007
【図４ａ】
2006351177.tif 000008
【図４ｂ】
2006351177.tif 000009
【図４ｃ】
2006351177.tif 000010
【図４ｄ】
2006351177.tif 000011
【図４ｅ】
2006351177.tif 000012
【図４ｆ】
2006351177.tif 000013
【図４ｇ】
2006351177.tif 000014
【図４ｈ】
2006351177.tif 000015
【図５】
2006351177.tif 000016
【外国語明細書】
2006351177.tif 000017
2006351177.tif 000018
2006351177.tif 000019
2006351177.tif 000020
2006351177.tif 000021
2006351177.tif 000022
2006351177.tif 000023
2006351177.tif 000024
2006351177.tif 000025
2006351177.tif 000026
2006351177.tif 000027
2006351177.tif 000028
2006351177.tif 000029
2006351177.tif 000030
2006351177.tif 000031
2006351177.tif 000032
2006351177.tif 000033
2006351177.tif 000034
2006351177.tif 000035
2006351177.tif 000036
2006351177.tif 000037
2006351177.tif 000038
2006351177.tif 000039
2006351177.tif 000040
2006351177.tif 000041
2006351177.tif 000042
2006351177.tif 000043
2006351177.tif 000044
2006351177.tif 000045
2006351177.tif 000046
2006351177.tif 000047